(57)【特許請求の範囲】
【請求項１】
本体底面に設けられた吸込開口と、該吸込開口の上部に設けられた吸込室と、該吸込室に連通して設けられた吸気風路入口と、前記吸込室内に設けられ且つ軸を中心として回転可能な回転清掃体とを備えた吸込口体において、
前記回転清掃体は、前記吸込室内の負圧作用に伴って発生する空気が導かれるように前記軸に形成された導風路と、前記軸から突出されると共に先端側が屈曲された複数の清掃部材と、該各清掃部材に形成され且つ前記各清掃部材の先端に形成された吹出口から空気を噴射するように前記導風路と連通された噴射風路とを備えていることを特徴とする吸込口体。
【請求項２】
掃除機本体内に設けられた電動送風機の吸気側に連通される吸気風路と前記電動送風機の排気側に連通される排気風路とに独立して連通される循環式電気掃除機に用いられる吸込口体であって、
前記吸込口体は、底面に設けられた吸込開口と、該吸込開口の上部に設けられた吸込室と、該吸込室に連通して設けられて前記吸気風路と連通された吸気風路入口と、前記吸込室内に設けられ且つ軸を中心として回転可能な回転清掃体と、前記排気風路と前記軸の端部とに連通された案内風路とを備え、
前記回転清掃体は、前記案内風路と連通されるように前記軸に形成された導風路と、前記軸から突出されると共に先端側が屈曲された複数の清掃部材と、該各清掃部材に形成され且つ前記各清掃部材の先端に形成された吹出口から空気を噴射するように前記導風路と連通された噴射風路とを備えていることを特徴とする吸込口体。
【請求項３】
請求項２に記載の吸込口体を備えることを特徴とする循環式電気掃除機。
【発明の詳細な説明】
【０００１】
【発明の属する技術分野】
この発明は、電気掃除機に接続される吸込口体並びにその吸込口体を備えた循環式電気掃除機に関する。
【０００２】
【従来の技術】
従来の電気掃除機には、掃除機本体内に設けられた電動送風機の吸気負圧により、吸込口体の吸込室に吸い込まれる被清掃面の塵埃を延長管（延長管）及び集塵ホース内に形成される吸気通路を介して掃除機本体内の集塵室に吸い込ませ、この吸い込ませた塵埃を集塵室内の集塵フィルターで捕集させる一方、電動送風機の排気風を循環風路を介して吸込口体に循環させて、排気風を外部に排気しないようにした循環式のものが考えられている。
【０００３】
このような循環式電気掃除機に使用される吸込口体内には、電動送風機の駆動に伴う吸込室内の負圧作用によって外気を取り入れたり電気掃除機全体で循環させたることで発生する空気圧の吹付けにより回転する回転清掃体を設けたものも知られている。
【０００４】
この回転清掃体は、主に絨毯や布団等の表面を被清掃面とした際に、その表面特性により吸込開口から吸込室内に内に入り込んだ被清掃面に対する叩き作用や払拭作用を施すことによって被清掃面上の塵埃等を効率良く吸い込むために、回転軸から放射状若しくは螺旋状に突出した清掃部材（ゴム等の弾性体、布体、ブラシ体等を含む）を設けている。
【０００５】
【発明が解決しようとする課題】
ところで、このような吸込口体にあっては、回転清掃体に設けられた清掃部材が被清掃面に対する叩き作用（主に弾性体や布体）や払拭作用（主にブラシ体）によって被清掃面上の塵埃等を吸い込み易くするものであることから、回転清掃体自身の回転速度と吸込口体の移動速度とを考慮すると、瞬間的に絨毯や布団の奥側に位置する塵埃等を浮き上がらせることは困難であった。
【０００６】
そこで、この発明は、被清掃面の奥側に位置する塵埃等を容易に浮き上がらせることができるばかりでなく、その浮き上がらせた塵埃等の吸い込みを効率良く行うことができ、しかも、被清掃面上への作用時間を長く且つ深くし得て被清掃面上の塵埃吸い込み効率を一層向上させることができる吸込口体及び電気掃除機を提供することを目的とするものである。
【０００７】
【課題を解決するための手段】
この目的を達成するため、請求項１に記載の吸込口体は、本体底面に設けられた吸込開口と、該吸込開口の上部に設けられた吸込室と、該吸込室に連通して設けられた吸気風路入口と、前記吸込室内に設けられ且つ軸を中心として回転可能な回転清掃体とを備えた吸込口体において、
前記回転清掃体は、前記吸込室内の負圧作用に伴って発生する空気が導かれるように前記軸に形成された導風路と、前記軸から突出されると共に先端側が屈曲された複数の清掃部材と、該各清掃部材に形成され且つ前記各清掃部材の先端に形成された吹出口から空気を噴射するように前記導風路と連通された噴射風路とを備えていることを要旨とする。
【０００８】
請求項２に記載の吸込口体は、掃除機本体内に設けられた電動送風機の吸気側に連通される吸気風路と前記電動送風機の排気側に連通される排気風路とに独立して連通される循環式電気掃除機に用いられる吸込口体であって、
前記吸込口体は、底面に設けられた吸込開口と、該吸込開口の上部に設けられた吸込室と、該吸込室に連通して設けられて前記吸気風路と連通された吸気風路入口と、前記吸込室内に設けられ且つ軸を中心として回転可能な回転清掃体と、前記排気風路と前記軸の端部とに連通された案内風路とを備え、
前記回転清掃体は、前記案内風路と連通されるように前記軸に形成された導風路と、前記軸から突出されると共に先端側が屈曲された複数の清掃部材と、該各清掃部材に形成され且つ前記各清掃部材の先端に形成された吹出口から空気を噴射するように前記導風路と連通された噴射風路とを備えていることを要旨とする。
【０００９】
請求項３に記載の循環式電気掃除機は、請求項２に記載の吸込口体を備えることを要旨とする。
【００１０】
【発明の実施の形態】
以下、この発明の実施の形態を循環式の電気掃除機に適用し、図１〜図４に基づいて説明する。
【００１１】
図４において、電気掃除機１は、掃除機本体１０と、掃除機本体１０に接続される接続管１１と、接続管１１に一端が取り付けられた蛇腹状の可撓性ホース１２と、可撓性ホース１２の他端に取り付けられた取手１３ａを有する手元操作管１３と、手元操作管１３に接続された複数の延長管１４，１５と、延長管１５に接続された吸込口体２０とを有する。
【００１２】
掃除機本体１０内には、紙袋製の集塵フィルター１６と電動送風機１７とが前後に配置されている。
【００１３】
電動送風機１７は前方（集塵フィルター１６側）から空気を内部へと吸い込んで、この吸い込んだ空気をモータ部（図示せず）内に流して内部を冷却した後、側方（又は後方）から排気するようになっている。尚、このような循環方式には様々な形式があるが、掃除機本体１０と吸込口体２０との間で循環（図の場合には点線矢印が吸気風路、太線矢印が排気風路である。）する構成であれば特に限定されるものではない。
【００１４】
吸込口体２０は、延長管１５の先端との接続（延長管１４又は手元操作管１３の各先端との接続も可能。また、所謂ハンディタイプにおける掃除機本体との直接接続もある。）される接続管３０と、接続管３０に連結された回転管４０と、回転管４０に回転可能に保持される吸込口本体５０とを備えている。
【００１５】
接続管３０は、図１に示すように、中空円筒形状の内管３１と、内管３１の外周を上下で覆う上カバー３２及び下カバー３３を有する。上カバー３２は、内管３１の上部に固定ネジ（図示せず）で着脱可能に固定され、下カバー３３は内管３１の下部に固定ネジ（図示せず）で着脱可能に固定されている。
【００１６】
そして、内管３１には吸気風路３４が形成され、上カバー３２と内管３１の上部との間には上側排気風路３５が形成され、下カバー３３と内管３１の下部との間には下側排気風路３６が形成されている。また、上側排気風路３５と下側排気風路３６とは先端側の側方で合流されている。さらに、上カバー３２の側方には左右一対（図１では一方のみ図示）の中空軸３７が一体に形成され、この中空軸３７内は側部循環風路３８となっている。
【００１７】
回転管４０は、中空軸３７を中心とした接続管３０の回動範囲を規制する円弧形状の受部４１ａを有する断面二重構造の回転管本体４１と、回転管本体４１の前方に装着された断面二重構造の保持筒４２と、回転管本体４１の下方を支持するために後述する下ケース５１に固定される受部材４３とを備えている。
【００１８】
保持筒４２は、吸込口本体５０に対して固定とされ、回転管本体４１の軸線回りの回転を許容している。従って、手元操作管１３の操作において、吸込口本体５０の被清掃面上への接地状態を維持した上での手元操作管１３の上下方向の変位を中空軸３７を中心とした接続管３０の回動で許容し、吸込口本体５０の被清掃面上への接地状態を維持した上での手元操作管１３の左右方向の揺動変位を中空軸３７を中心とした接続管３０の回動及び保持筒４２に対する回転管本体４１の回転との協働によって許容している。尚、回転管本体４１と保持筒４２とには回転管本体４１の回転範囲を規制するために互いに係合する凹凸等（図示せず）が形成されている。
【００１９】
回転管本体４１と保持筒４２の各内筒４１ｂ，４２ａとは吸気風路３４と略同軸上で連通する吸気風路４４を形成する。また、回転管本体４１と保持筒４２の各内筒４１ｂ，４２ａの外側と回転管本体４１の外壁４１ｃとの間には、回転管本体４１，保持筒４２，受部材４３の協働により側部循環風路３８と連通する排気風路４５が形成されている。また、保持筒４２の前方は、図２に示すように側方に拡開されており、その前面開放端は吸気風路入口４６となっている。
【００２０】
吸込口体本体５０は、平面視略Ｔ字形状の下ケース５１と、下ケース５１の前方側の上方を覆う上ケース５２と、各ケース５１，５２に挟持されて吸込口本体の外周囲を保護するバンパー５３と、下ケース５１の前後に回転可能に保持された車輪５４，５５と、各ケース５１，５２に挟持される回転清掃体６０とを備えている。
【００２１】
下ケース５１の前方寄り底面には幅広な吸込開口５１ａが形成されている。また、下ケース５１には、吸込開口５１を両側方並びに後方を取り巻くように立ち上げられた排気風路内壁５１ｂと、この排気風路内壁５１ｂを取り巻く排気風路外壁５１ｃとが形成されている。
【００２２】
また、上ケース５２には、排気風路内壁５１ｂと付き合うことにより回転清掃体６０の両端並びに保持筒４２を挟持する排気風路内壁５２ａと、下ケース５１の排気風路外壁５１ｂと付き合う排気風路外壁（図示せず）とが一体に形成されている。
【００２３】
排気風路内壁５１ｂ，５２ａは、吸込開口５１ａの上方に吸気風路入口４６と連通する吸込室５６を形成する。また、排気風路内壁５１ｂ，５２ａと排気風路外壁５１ｃ（上ケース５２側は図示せず）とは互いに付き合った状態のときに排気風路４５と連通する連絡排気風路５７を形成する。
【００２４】
回転清掃体６０は、両端に設けられて連絡排気風路５７内に臨む頭部６１と、各頭部６１の内側に位置して排気風路内壁５１ｂ，５２ａに挟持されるベアリング部６２と、ベアリング部６２間に回転可能に保持された軸６３と、軸６３から突出されると共に吸込開口５１ａと対向状態にあるときに先端側が後方（吸気風路入口４６側）に向くように屈曲された清掃部材としての複数のゴム製のブレード６４とを備えている。
【００２５】
頭部６１とベアリング部６２には、連絡排気風路５７と連通する導入路６５が形成されている。
【００２６】
軸６３は、中空軸とされており、これにより導入路６５と連通する導風路６６が形成されている。
【００２７】
ブレード６４は、軸６３の軸線方向に沿って幅広に形成され、その先端に形成された吹出口６７から排気風を噴射するように導風路６６と連通された噴射風路６８が形成されている。
【００２８】
次に、この様な構成の電気掃除機の作用を説明する。
【００２９】
取手１３ａに設けた操作パネル１３ｂを操作して、電動送風機１７が駆動すると、その吸引作用により電動送風機１７の吸気側、即ち、接続管１１、可撓性ホース１２、手元操作管１３、延長管１４，１５に設けられた各吸気風路（図４の点線矢印参照）並びに吸気風路３４，４４、吸込室５６が負圧となり、吸込開口５１ａから塵埃が吸い込まれて集塵フィルター１６に収納される。
【００３０】
一方、電動送風機１７の内部を冷却した後の排気は、接続管１１、可撓性ホース１２、手元操作管１３、延長管１４，１５に設けられた各排気風路（図４の太線矢印参照）並びに排気風路３５，３６、側部循環風路３８、排気風路４５、連絡排気風路５７、導入路６５、導風路６６、噴射風路６８を経由して吹出口６７から噴射される。
【００３１】
この噴射により、回転清掃体６０が図１の状態で時計回り方向に回転する。回転清掃体６０が回転すると、図３（Ａ）に示したブレード６４が被清掃面Ｍ（例えば、絨毯）の表面に接触した状態から、図３（Ｂ），（Ｃ）に示すように、ブレード６４が被清掃面Ｍ内へと徐々に入り込んで叩き作用をすると同時に、吹出口６７から噴射された排気によって被清掃面Ｍ内に入り込んだ比較的大きな塵埃Ｊを吹き飛ばす（浮き上がらせる）ことができる。
【００３２】
この際、被清掃面Ｍに噴射する排気の方向は、吸込口体２０の後方、即ち、吸気風路入口４６に向けて吹き出すため、吹き飛ばした塵埃Ｊを効率良く吸い込ませることができる。また、図３（Ｃ）に示すように、ブレード６４が被清掃面Ｍから離間した状態でも排気を被清掃面Ｍに向けて噴射するため、被清掃面Ｍに対する作用時間を長く確保することができる。尚、図３（Ａ）〜（Ｃ）において、符号Ｐは軸６３の中心で回転清掃体６０の回転中心である。
【００３３】
また、床板や畳み等の比較的硬質な表面を被清掃面とした場合、ブレード６４は非接触の状態で回転するが、図３（Ｂ）に示すように、吹出口６７がやや下方に向いた状態で排気を噴射することにより、床板間や畳間に形成された溝等の隙間に入り込んだ塵埃等の吹き飛ばしも可能となり、ブレード６４の清掃作業時の有効利用範囲を拡大することができる。
【００３４】
尚、上記実施の形態では、吸込室５６内の負圧作用に伴って発生する空気圧として排気を導びいたものを開示したが、例えば、吸込室５６の負圧作用に伴って吸込口体本体５０の側方や後方から外気を取り入れ、この外気によって回転清掃体６０の回転並びに吹出口６７からの噴射をするように構成しても良い。また、回転清掃体６０の回転自体はモータ等によって行っても良い。
【００３５】
【発明の効果】
以上説明したように、本発明の吸込口体は、回転清掃体を、吸込室内の負圧作用に伴って空気が導かれるように軸に形成された導風路と、軸から突出されると共に先端側が屈曲された複数の清掃部材と、該各清掃部材に形成され且つ各清掃部材の先端に形成された吹出口から空気を噴射するように導風路と連通された噴射風路とで構成したことにより、被清掃面の奥側に位置する塵埃等を容易に浮き上がらせることができるばかりでなく、その浮き上がらせた塵埃等の吸い込みを効率良く行うことができ、しかも、被清掃面上への作用時間を長く且つ深くし得て被清掃面上の塵埃吸い込み効率を一層向上させることができる。
【図面の簡単な説明】
【図１】この発明に係る吸込口体の要部の縦断面図である。
【図２】この発明に係る吸込口体の上カバーを取り外した状態の平面図である。
【図３】この発明に係る清掃部材の作用を時系列に示し、（Ａ）は叩き・吹出し作用直前状態の要部の説明図、（Ｂ）は叩き・吹出し作用状態の要部の説明図、（Ｃ）は吹出し作用状態の説明図である。
【図４】この発明に係る吸込口体を装着した電気掃除機の外観斜視図である。
【符号の説明】
１…電気掃除機（循環式電気掃除機）
１０…掃除機本体
１７…電動送風機
２０…吸込口体
５１…下ケース
５１ａ…吸込開口
５６…吸込室
６０…回転清掃体
６６…導風路
６３…軸
６４…ブレード（清掃部材）
６７…吹出口
６８…噴射風路
【図１】
0003871517.tif 000002
【図２】
0003871517.tif 000003
【図３】
0003871517.tif 000004
【図４】
0003871517.tif 000005